(57)【要約】【課題】予備苗積載装置について、下段配置の苗載台の苗箱の操作性を損なうことなく、多数の苗箱積載を可能とする苗移植機を提供することにある。【解決手段】苗移植機は、苗箱送り装置(１ａ)と苗植付具(１ｂ)とを備えて苗箱から苗株を順次植え付けつつ圃場を走行するとともに、補充用の苗を積載する苗枠(Ｔ)を備えて構成され、前記苗枠(Ｔ)を支持する左右の苗枠支持フレーム(２ａ，２ａ)を設け、これら左右の苗枠支持フレーム(２ａ，２ａ)の間に前記苗枠(Ｔ)を支持した内側苗載台(３)と、前記左右の苗枠支持フレーム(２ａ，２ａ)の各機体外側に前記苗枠(Ｔ)を支持した左右の外側苗載台(４，４)とからなる予備苗積載装置(２)を備えることにより、苗箱の操作性を損なうことなく、多数の苗箱積載を可能とするものである。【選択図】図４
2019097455.tif 000002
【特許請求の範囲】
【請求項１】
苗箱送り装置(１ａ)と苗植付具(１ｂ)とを備えて苗箱から苗株を順次植え付けつつ圃場を走行するとともに、補充用の苗を積載する苗枠(Ｔ)を備える苗移植機において、
前記苗枠を支持する左右の苗枠支持フレーム(２ａ，２ａ)を設け、
これら左右の苗枠支持フレーム(２ａ，２ａ)の間に前記苗枠(Ｔ)を支持した内側苗載台(３)と、
前記左右の苗枠支持フレーム(２ａ，２ａ)の各機体外側に前記苗枠(Ｔ)を支持した左右の外側苗載台(４，４)とからなる予備苗積載装置(２)を備えることを特徴とする苗移植機。
【請求項２】
前記左右の外側苗載台(４，４)と前記内側苗載台(３)は各々上下に複数段に構成し、前記内側苗載台(３)の最下段には、前後端部が上側の内側苗載台(３)よりも機体前方及び後方に突出する範囲に下段の内側苗載台(３)を構成することを特徴とする請求項１に記載の苗移植機。
【請求項３】
前記苗枠支持フレーム(２ａ，２ａ)は、中段部で屈曲してその上下部を機体前後の一方側に傾斜し、この苗枠支持フレーム(２ａ，２ａ)の傾斜と対応して、前記外側苗載台(４，４)の中段部を基準に上下隣接段部を前記一方側にずらして配置することを特徴とする請求項１または２に記載の苗移植機。
【請求項４】
前記外側苗載台(４，４)の内側を軸支するとともに跳ね上げ側に付勢することを特徴とする請求項１から３のいずれかに記載の苗移植機。
【請求項５】
走行車体の中央部に車体カバー(Ｈ)を配置し、その前側を迂回するように屈曲して予備苗積載装置(２)の前部を支持する前側支持フレーム(２ｂ)を備えることを特徴とする請求項１から４のいずれか１項に記載の苗移植機。
【請求項６】
走行車体の前輪(１ｃ)をトレッド変更可能に構成し、前記前側支持フレーム(２ｂ)の左右幅は、前側支持フレーム(２ｂ)の屈曲部より上方が前記車体カバーの左右幅より広く、また、前記屈曲部より下方が上方より狭く、かつ、前記前輪(１ｃ)の最小トレッドの左右内側距離内に構成することを特徴とする請求項５記載の苗移植機。
【請求項７】
前記車体カバー(Ｈ)によってエンジン及び燃料タンクを覆うとともに、前記車体カバー(Ｈ)に臨んで前記内側苗載台(３)を配置し、この内側苗載台(３)に孔部を形成して前記燃料タンクの燃料補給用のホースを支持可能に構成することを特徴とする請求項５または６に記載の苗移植機。
【請求項８】
前記最上段と最下段の内側苗載台(３)に、空になった苗箱を保持する苗箱クリップをそれぞれ設け、これら苗箱クリップは、下方に回動させると苗箱を抑え、上方に回動させると解除可能に構成することを特徴とする請求項１から７のいずれかに記載の苗移植機。
【発明の詳細な説明】
【技術分野】
【０００１】
本発明は、補充用の苗箱を積載する予備苗積載装置を備える、植付部で苗株を植え付けながら走行する苗移植機に関するものである。
【背景技術】
【０００２】
先行特許文献１に示す苗移植機は、左右移動する苗箱送り装置に苗箱を載置し、苗箱から取り出される苗を植付装置で圃場に植え付けるものであり、機体前側の車体カバーの上方には、補充用の苗箱を積載する予備苗積載装置が設けられている。
【０００３】
また、先行特許文献２に記載の移植機は、機体の左右両側に、上下方向に複数の苗載台を設けることにより、多数の苗箱を積載することができる。
【先行技術文献】
【特許文献】
【０００４】
【特許文献１】特許第５８３１８２２号公報
【特許文献２】特許第５９３５４８６号公報
【発明の概要】
【発明が解決しようとする課題】
【０００５】
しかしながら、先行特許文献１の予備苗積載装置は、機体の左右幅と略同程度の左右幅であり、積載できる苗箱の数が少ないので、作業者は空になった苗箱を機外に降ろし、苗の入った苗箱を積み込む作業を頻繁に行わねばならず、作業能率が低下すると共に、作業者に余分な労力を費やさせる問題がある。
【０００６】
また、先行特許文献２に記載の予備苗積載装置は、全て同じ前後位置に上下に多段配置されているので、最上段以外の予備苗積載装置への苗の積み込みや、苗の取り出し作業を行うときは、上段に位置する苗載台が苗箱移動の妨げとなることがあり、作業能率が悪くなる問題がある。
【０００７】
本発明の目的は、予備苗積載装置について、下段配置の苗載台の苗箱の操作性を損なうことなく、多数の苗箱積載を可能とする苗移植機を提供することにある。
【課題を解決するための手段】
【０００８】
請求項１に記載の発明は、苗箱送り装置(１ａ)と苗植付具(１ｂ)とを備えて苗箱から苗株を順次植え付けつつ圃場を走行するとともに、補充用の苗を積載する苗枠(Ｔ)を備える苗移植機において、前記苗枠(Ｔ)を支持する左右の苗枠支持フレーム(２ａ，２ａ)を設け、これら左右の苗枠支持フレーム(２ａ，２ａ)の間に前記苗枠(Ｔ)を支持した内側苗載台(３)と、前記左右の苗枠支持フレーム(２ａ，２ａ)の各機体外側に前記苗枠(Ｔ)を支持した左右の外側苗載台(４，４)とからなる予備苗積載装置(２)を備えることを特徴とする。
【０００９】
請求項２に記載の発明は、請求項１に記載の発明において、前記左右の外側苗載台(４，４)と前記内側苗載台(３)は各々上下に複数段に構成し、前記内側苗載台(３)の最下段には、前後端部が上側の内側苗載台(３)よりも機体前方及び後方に突出する範囲に下段の内側苗載台(３)を構成することを特徴とする。
【００１０】
請求項３に記載の発明は、請求項１または２に記載の発明において、前記苗枠支持フレーム(２ａ，２ａ)は、中段部で屈曲してその上下部を機体前後の一方側に傾斜し、この苗枠支持フレーム(２ａ，２ａ)の傾斜と対応して、前記外側苗載台(４，４)の中段部を基準に上下隣接段部を前記一方側にずらして配置することを特徴とする。
【００１１】
請求項４に記載の発明は、請求項１から３のいずれかに記載の発明において、前記外側苗載台(４，４)の内側を軸支するとともに跳ね上げ側に付勢することを特徴とする。
【００１２】
請求項５に記載の発明は、請求項１から３のいずれかに記載の発明において、走行車体の中央部に車体カバー(Ｈ)を配置し、その前側を迂回するように屈曲して予備苗積載装置(２)の前部を支持する前側支持フレーム(２ｂ)を備えることを特徴とする。
【００１３】
請求項６に記載の発明は、請求項５に記載の発明において、走行車体の前輪(１ｃ)をトレッド変更可能に構成し、前記前側支持フレーム(２ｂ)の左右幅は、前側支持フレーム(２ｂ)の屈曲部より上方が前記車体カバーの左右幅より広く、また、前記屈曲部より下方が上方より狭く、かつ、前記前輪(１ｃ)の最小トレッドの左右内側距離内に構成することを特徴とする。
【００１４】
請求項７に記載の発明は、請求項５または６に記載の発明において、前記車体カバー(Ｈ)によってエンジン及び燃料タンクを覆うとともに、前記車体カバー(Ｈ)に臨んで前記内側苗載台(３)を配置し、この内側苗載台(３)に孔部を形成して前記燃料タンクの燃料補給用のホースを支持可能に構成することを特徴とする。
【００１５】
請求項８に記載の発明は、請求項１から７のいずれかに記載の発明において、前記最上段と最下段の内側苗載台(３)に、空になった苗箱を保持する苗箱クリップをそれぞれ設け、これら苗箱クリップは、下方に回動させると苗箱を抑え、上方に回動させると解除可能に構成することを特徴とする。
【発明の効果】
【００１６】
請求項１に記載の発明は、左右の苗枠支持フレーム(２ａ，２ａ)の左右間の内側苗載台(３)と、その両外側の左右の外側苗載台(４，４)とからなる予備苗積載装置(２)を設けることにより、苗箱の積載数を増やすことができ、また、走行車体の上方の空間部を利用して内側苗載台(３)を多段に構成できることから、補充用の多数の苗箱を積載することができる。
【００１７】
請求項２に記載の発明は、請求項１に記載の効果に加え、外側苗載台(４，４)と内側苗載台(３)は各々上下方向に複数段配置することにより、苗箱の積載数を増やすことができるので、苗箱を補充間隔が長くなり、作業中断時間が全体として短くなる。
また、最下段に設ける内側苗載台(３)の前後端部が上側の内側苗載台(３)よりも機体前側及び後側に突出することにより、苗箱の投入や取り出しを行いやすくなるので、作業能率が向上する。
【００１８】
請求項３に記載の発明は、請求項１または２に記載の発明の効果に加え、苗枠支持フレーム(２ａ，２ａ)を中段部から上下部を機体前側に傾斜し、最上段及び最下段に配置される外側苗載台(４，４)を最も機体前側に配置する場合は、苗箱を機体前側から積み込みやすくなり、作業能率が向上し、また、逆に、最上段及び最下段傾斜を機体後側とする場合は、苗箱を外側苗載台(４，４)から取り出しやすくなり、作業能率が向上する。
また、外側苗載台(４，４)が前後位置がズレて上下方向に複数配置されることにより、各外側苗載台(４，４)に苗箱を出し入れする際に他の外側苗載台(４，４)が邪魔になりにくく、作業能率が向上する。
【００１９】
請求項４に記載の発明は、請求項１から３のいずれかに記載の効果に加え、苗載台(４，４)は、苗箱を積載すると、その重量により積載角度位置まで展開し、苗箱を安定して積載できる。
また、外側苗載台(４，４)は、苗箱を取り除くと上方に回動するので、多段の場合に下側の外側苗載台(４，４)から苗箱を取り出しやすくなり、作業能率が向上する。
外側苗載台(４，４)の跳ね上げた部分の予備苗積載装置(２)の左右幅を抑えることができるので、移動時に予備苗積載装置(２)を周囲にぶつけることが防止されると共に、機体幅が抑えられてコンパクトに収納することができる。
【００２０】
請求項５に記載の発明は、請求項１から４のいずれかに記載の発明の効果に加え、車体カバー(Ｈ)の前方を迂回して屈曲部を形成した前側支持フレーム(２ｂ)により、走行障害物から車体カバー(Ｈ)を保護することができる。
また、前側支持フレーム(２ｂ)は、屈曲部の上側の傾斜部によって予備苗積載装置(２)と直接連結することができ、部品数の削減が図られる。
【００２１】
請求項６に記載の発明は、請求項５に記載の発明の効果に加え、前側支持フレーム(２ｂ)の屈曲部より下方の左右幅を、前輪(１ｃ)の最小トレッドの左右内側距離内することにより、走行輪の左右間隔の設定が自由に行えるので、畝幅が違っても植付作業を行える。
また、前側支持フレーム(２ｂ)の屈曲部より上方の左右幅を、車体カバーの左右幅よりも広くすることにより、予備苗積載装置(２)を装着したまま車体カバーを着脱することができるので、メンテナンス作業時に余分な労力が不要になる。
【００２２】
請求項７に記載の発明は、請求項５または６に記載の発明の効果に加え、車体カバー(Ｈ)に臨む内側苗載台(３)は、その孔部に燃料ホースを差し込んで支持することで車体カバー(Ｈ)内の燃料補給が可能となり、この時、補給燃料置き台として安定して保持できるので、補給中に燃料ホースが抜けて燃料が機体や圃場に漏れ出すことがなく、余分な燃料の消費や、燃料による汚染を防止して、燃料補給作業を能率よく行うことができる。
【００２３】
請求項８に記載の発明は、請求項１から７のいずれかに記載の発明の効果に加え、最上段と最下段の内側苗載台(３)に苗箱クリップを設けることにより、複数の空の苗箱を落下することなく保持できるので、空の苗箱を機体から降ろす作業回数が減少し、作業能率が向上する。
また、最下段の内側苗載台(３)に苗箱クリップを設けることにより、作業者が最上段の内側苗載台(３)に手が届きにくくても、最下段の内側苗載台(３)には空になった苗箱を楽に載置できるので、作業者の労力が軽減される。
【図面の簡単な説明】
【００２４】
【図１】苗移植機の側面図
【図２】苗移植機の要部平面図
【図３】予備苗積載装置の側面図
【図４】予備苗積載装置の平面図
【図５】予備苗積載装置の正面図
【図６】フロントセンサの側面図（斜視図付帯）
【図７】クローラ仕様の伝動構成の要部断面図
【図８】苗植付ホッパ部の側面図（ａ）と要部背面図（ｂ）
【発明を実施するための形態】
【００２５】
上記技術思想に基づいて具体的に構成された実施の形態について以下に図面を参照しつつ説明する。なお、説明においては、苗移植機の前進方向を基準に、前後、左右と云う。
【００２６】
（苗移植機）
本発明の苗移植機１は、その側面図と要部平面図を図１、図２に示すように、苗箱送り装置１ａと苗植付具１ｂとを備えて苗箱の苗株を順次植え付けつつ走行部１ｃ，１ｄによって圃場を走行可能に構成するとともに、補充苗箱を積載する予備苗積載装置２を備える。
【００２７】
苗箱は、苗箱送り装置１ａにセットすることによって順次移動され、取り出された苗株がくちばし状の苗植付具１ｂに渡され、その上下動作によって苗株が圃場に植付けられる。
【００２８】
オペレータは、機体後部の歩行操縦部１ｅを操作するとともに、予備苗積載装置２から苗箱送り装置１ａに苗箱を補充し、空になった苗箱を取外すことによって植付けを続行することができる。
【００２９】
（予備苗積載装置）
予備苗積載装置２について詳細に説明すると、その側面図、平面図、正面図を順に図３〜５に示すように、苗枠前部に左右の苗枠支持フレーム２ｂ，２ｂを側面視で「く」の字状に構成してレンズフードの横直近位置でガードを兼ね、また、フレーム下部の左右幅を小さくして最小トレッド内に構成し、また、上部分は、レンズフードより広くして苗枠を付けたままでフードの取外しを可能とする。
【００３０】
苗枠支持フレーム２ｂ，２ｂは、上面視でフードの外側に位置することで、フードを上方に開けることができ、また、フック２ｃ，２ｃを付けることで、トラック積載時に高いあおりがあっても、前側を安定固定することができる。
【００３１】
両サイドには、それぞれ４段の苗載台４ａ…を設け、苗数が７２株の苗箱と１２８株の苗箱を搭載可能とすることで、従来より多くの苗を載せることができる。
【００３２】
苗載台の前側は、苗枠支持フレーム２ｂ，２ｂを介して車体のバンパに支持することで、給油用タンク台としての剛性を確保することができる。
【００３３】
苗載台は、側面視で「く」の字状に中段部を前側に突出することで、下段のトレイ後部に操作空間を確保して苗箱を上方に引き出し易くし、また、上段部を作業者に近付けて苗箱がとり易くなる。
【００３４】
中央位置には、上段苗載台３ｂ，３ｂに苗箱を各々１枚、下段苗載台３ａに苗箱２枚を前後直列積載可能に前後に長い苗台を設けることで、低位置で前後端の突出部周りの操作空間により、積載数を増加しつつ、作業性の確保が可能となる。
【００３５】
中央の下段苗載台３ａは、さらに、苗箱を前後スライド可能に構成することで、前側の苗を後方から容易に取出すことができ、また、燃料タンクＦ（図１参照）の上部に配置し、その給油口Ｆ１に臨んで燃料ホースのガイド穴（不図示）を形成する。
【００３６】
上部と中央下段の後部側に空トレイ押さえを設けることで、高位置と低位置に空トレイを収容することができ、また、両サイドの苗載台のストッパをスプリングによって跳ね上げ側に傾斜付勢することで、下側の苗の取出しが容易となる。
【００３７】
（天秤アーム）
次に、天秤アームは、往復２条植えで左右のトレッドが異なる場合に、右油圧ロッド側を長くして左右の分担荷重に合わせた長さにすることによって天秤が釣り合うことから、左右差によるローリングシリンダの負荷を小さく抑えることができる。
この場合において、天秤の回動中心を機体中心に合わせることにより、ローリングが動いても、植付け支持高さが一定できれいに揃えることができる。
【００３８】
（フロントセンサ）
フロントセンサ１１は、図６の側面図（斜視図付帯）に示すように、不図示の植付け油圧レバーと連結するケーブル１２でリフト可能に構成することで、油圧を固定するとセンサローラ１１をリフトできるので、邪魔にならずに操作できる。
【００３９】
詳細には、センサローラ１１の支持アーム１１ａを前アーム１３と後アーム１４とによる前後配置の平行リンクで支持し、前アーム１３の高さ位置を検出する角度センサ１３ｓを設けて、センサローラ１１の高さを検出可能に構成する。
【００４０】
また、ケーブル１２の終端１２ｔを前アーム１３の支点１３ａの後側の溝部１３ｂに係合するとともに、前アーム１３の支点１３ａを長穴１５にガイドし、ケーブル１２によって前アーム１３を引き上げることでセンサローラ１１を引き上げ可能に構成する。
【００４１】
長穴１４は、ケーブル１２のストロークより短く形成し、ケーブル１２の引き操作により、前アーム１３の支点１３ａが長穴１５の範囲のスライドによってセンサローラ１１を引上げ、長穴１５の上端エンド１５ｅに達した後は、前アーム１３が後ろに回動してセンサローラ１１が機体の下に収納され、前アーム１３は角度センサ１３ｓのストッパにもなり、シンプルに構成できる。
【００４２】
長穴１５はエンド１５ｅ部分で上に広く形成することにより、ケーブル１２を引いて前アーム１３の支点１３ａがエンド１５ｅ部分に来た状態でも、上方に逃げがあるため、センサローラ１１が畝に当たった場合の余裕となる。
【００４３】
また、ケーブル１２の引き方向に対して直角方向の逃げを長穴１５のエンド１５ｅ部分に形成することで、ケーブル１２の操作でリフトした時に、エンド部分で前アーム１３が回動する。
【００４４】
（伝動部）
次に、クローラ仕様の伝動部について説明すると、図７の伝動部の要部断面図に示すように、走行ミッション２１とクローラ減速ミッション２２の間に過負荷防止用クラッチ２３を設ける。クラッチ爪は、形状を台形とすることで、正転・逆転の過負荷に対応することができる。
【００４５】
（植付けホッパ）
苗植付具１ｂには、図８の苗植付ホッパ部の側面図（ａ）と要部背面図（ｂ）に示すように、左右のホッパ部材３１ａ，３１ａの外側に付着した高粘度の土を落とす土落とし体３２ａ，３２ｂを設ける。
【００４６】
土落とし体３２ａ，３２ｂは、左右のホッパ部材３１ａ，３１ａの開閉時に作用する位置に金属材等の硬質部材によって構成し、一方のホッパ部材３１ａに基部を設け、他方のホッパ部材３１ａの土を落とすように、左右のホッパ部材３１ａ，３１ａについて互いに交差するとともに、交差部において立体交差する交差回避形状に構成することで、左右のホッパ部材３１ａ，３１ａの開閉動作に応じて、互いにぶつかることなく、土落としが可能となる。
【符号の説明】
【００４７】
１      苗移植機
１ａ    苗箱送り装置
１ｂ    苗植付具
１ｃ    前輪
２      予備苗積載装置
２ａ    苗枠支持フレーム
２ｂ    前側支持フレーム
３      内側苗載台
４      外側苗載台
Ｈ      車体カバー
Ｔ      苗枠
【図１】
2019097455.tif 000003
【図２】
2019097455.tif 000004
【図３】
2019097455.tif 000005
【図４】
2019097455.tif 000006
【図５】
2019097455.tif 000007
【図６】
2019097455.tif 000008
【図７】
2019097455.tif 000009
【図８】
2019097455.tif 000010